(57)【要約】【課題】マイクロディスプレイの電力消費を低減させる方法を提供する。【解決手段】画素アレイを駆動する方法は、画素アレイ６０８の１つ以上の列にランプ信号を供給する過程と、ランプ信号のサイクルごとに、画素アレイ６０８の第１の行に第１の行駆動信号を供給し、かつ、画素アレイの第２の行に第２の行駆動信号を供給する過程とを備える。さらに、第１の増幅器６０４および第２の増幅器６０６を設ける過程であって、第１および第２の増幅器６０４，６０６がそれぞれＤＡ変換器から入力ランプ信号を受け取り、第１の増幅器６０４は第１の増幅されたランプ信号を生成し、かつ、第２の増幅器６０６は第２の増幅されたランプ信号を生成する、過程を備えてもよい。【選択図】図６
2018530795.tif 000002
【特許請求の範囲】
【請求項１】
画素アレイを駆動する方法であって、
前記画素アレイの１つ以上の列にランプ信号を供給する過程と、
前記ランプ信号のサイクルごとに、前記画素アレイの第１の行に第１の行駆動信号を供給し、かつ、前記画素アレイの第２の行に第２の行駆動信号を供給する過程と、
を備える、方法。
【請求項２】
請求項１に記載の方法において、さらに、
第１の増幅器および第２の増幅器を設ける過程であって、当該第１および第２の増幅器がそれぞれＤＡ変換器から入力ランプ信号を受け取り、前記第１の増幅器は第１の増幅されたランプ信号を生成し、かつ、前記第２の増幅器は第２の増幅されたランプ信号を生成する、過程、
を備える、方法。
【請求項３】
請求項２に記載の方法において、前記第１の増幅器および前記第２の増幅器が、ユニティゲイン増幅器である、方法。
【請求項４】
請求項２に記載の方法において、さらに、
前記第１の増幅器の出力を画素アレイの第１の画素セットに接続し、かつ、前記第２の増幅器の出力を前記画素アレイの第２の画素セットに接続する過程であって、前記画素アレイの前記第１の画素セットが第１の画素列セットであり、前記画素アレイの前記第２の画素セットが第２の画素列セットであり、前記第１の画素列セットおよび前記第２の画素列セットは、当該第１の画素列セットにおける列が当該第２の画素列セットにおける列と互い違いになるように前記画素アレイ上に空間的に配置されている、過程、
を備える、方法。
【請求項５】
請求項４に記載の方法において、さらに、
前記画素アレイの前記第１の画素セットに前記第１の増幅されたランプ信号を供給し、かつ、前記画素アレイの前記第２の画素セットに前記第２の増幅されたランプ信号を供給する過程、
を備える、方法。
【請求項６】
請求項２に記載の方法において、さらに、
前記第１の増幅器の出力を画素アレイの第１の画素セットに接続し、かつ、前記第２の増幅器の出力を前記画素アレイの第２の画素セットに接続する過程であって、前記画素アレイの前記第１の画素セットがＮ個ある行のうちの第１の画素行セットであり、前記画素アレイの前記第２の画素セットがＮ個ある行のうちの第２の画素行セットであり、前記第１の画素行セットが１行目〜Ｍ行目の画素を含み、前記第２の画素セットがＭ＋１行目〜Ｎ行目の画素を含み、ＭおよびＮは整数である、過程、
を備える、方法。
【請求項７】
請求項６に記載の方法において、さらに、
前記第１の増幅されたランプ信号を前記第１の画素行セットに供給し、かつ、前記第２の増幅されたランプ信号を前記第２の画素行セットに供給する過程、
を備える、方法。
【請求項８】
請求項２に記載の方法において、さらに、
前記第１の増幅器の出力を画素アレイの第１の画素セットに接続し、かつ、前記第２の増幅器の出力を前記画素アレイの第２の画素セットに接続する過程であって、前記画素アレイの前記第１の画素セットが第１の画素行セットであり、前記画素アレイの前記第２の画素セットが第２の画素行セットであり、前記第１の画素行セットおよび前記第２の画素行セットは、当該第１の画素行セットにおける行が当該第２の画素行セットにおける行と互い違いになるように前記画素アレイ上に空間的に配置されている、過程、
を備える、方法。
【請求項９】
請求項１に記載の方法において、さらに、
前記ランプ信号を生成するように構成されたＤＡ変換器を設ける過程、
を備える、方法。
【請求項１０】
ランプ信号を生成するように構成されたランプ信号発生器と、
前記ランプ信号を受け取って第１の増幅されたランプ信号を生成するように構成された第１の増幅器と、
前記ランプ信号を受け取って第２の増幅されたランプ信号を生成するように構成された第２の増幅器と、
を備え、前記第１の増幅されたランプ信号が画素アレイの第１の画素セットに電気的に接続され、かつ、前記第２の増幅されたランプ信号が前記画素アレイの第２の画素セットに電気的に接続される、画素アレイドライバ。
【請求項１１】
請求項１０に記載の画素アレイドライバにおいて、前記画素アレイの前記第１の画素セットが第１の画素列セットであり、前記画素アレイの前記第２の画素セットが第２の画素列セットであり、前記第１の画素列セットおよび前記第２の画素列セットは、当該第１の画素列セットにおける列が当該第２の画素列セットにおける列と互い違いになるように前記画素アレイ上に空間的に配置されている、画素アレイドライバ。
【請求項１２】
請求項１１に記載の画素アレイドライバにおいて、前記第１の画素列セットがＮ番目の画素列を含み、前記第２の画素列セットが（Ｎ＋１）番目の画素列を含み、Ｎは２から始まる２つ以上の連続する偶数を示す、画素アレイドライバ。
【請求項１３】
請求項１１に記載の画素アレイドライバにおいて、前記第１の画素列セットが前記第１の増幅されたランプ信号を受け取り、かつ、前記第２の画素列セットが前記第２の増幅されたランプ信号を受け取る、画素アレイドライバ。
【請求項１４】
請求項１０に記載の画素アレイドライバにおいて、前記画素アレイの前記第１の画素セット及び前記第２の画素セットがＮ個の行に配置されており、前記第１の画素セットが１行目〜Ｍ行目の画素を含み、前記第２の画素セットがＭ＋１行目〜Ｎ行目の画素を含み、ＭおよびＮは整数である、画素アレイドライバ。
【請求項１５】
請求項１４に記載の画素アレイドライバにおいて、前記１行目〜Ｍ行目の画素が前記第１の増幅されたランプ信号を受け取り、かつ、前記Ｍ＋１行目〜Ｎ行目の画素が前記第２の増幅されたランプ信号を受け取る、画素アレイドライバ。
【請求項１６】
請求項１０に記載の画素アレイドライバにおいて、前記画素アレイの前記第１の画素セットが第１の画素行セットであり、前記画素アレイの前記第２の画素セットが第２の画素行セットであり、前記第１の画素行セットおよび前記第２の画素行セットは、当該第１の画素行セットにおける行が当該第２の画素行セットにおける行と互い違いになるように前記画素アレイ上に空間的に配置されている、画素アレイドライバ。
【請求項１７】
請求項１６に記載の画素アレイドライバにおいて、前記第１の画素行セットの画素が前記第１の増幅されたランプ信号を受け取り、かつ、前記第２の画素行セットの画素が前記第２の増幅されたランプ信号を受け取る、画素アレイドライバ。
【請求項１８】
請求項１０に記載の画素アレイドライバにおいて、前記ランプ信号発生器がＤＡ変換器を含む、画素アレイドライバ。
【請求項１９】
請求項１８に記載の画素アレイドライバにおいて、さらに、
デジタルワードを生成して当該デジタルワードを前記ＤＡ変換器に供給するように構成されたカウンタ、
を備え、前記デジタルワードが、初期値から終値までカウントし、前記初期値に戻って、当該カウントを前記初期値から繰り返す、画素アレイドライバ。
【請求項２０】
請求項１０に記載の画素アレイドライバにおいて、前記第１および第２の増幅器が、ユニティゲイン増幅器である、画素アレイドライバ。
【発明の詳細な説明】
【関連出願】
【０００１】
本願は、2015年10月19日付出願の米国仮特許出願第62/243,411号及び2015年10月28日付出願の米国仮特許出願第62/247,327号の優先権を主張する。これらの特許出願の全教示内容は、参照をもって本明細書に取り入れたものとする。
【背景技術】
【０００２】
現在、ノートブックＰＣ、スマートフォン、タブレット型コンピューティング端末等のモバイルコンピューティングデバイスは、ビジネスライフおよび私生活の両方において、データを生成、分析、通信および消費するための日常的なツールとなっている。消費者は、高速無線通信技術のユビキタス化に伴い、ますます容易にデジタル情報にアクセスできることを背景に、モバイルデジタルライフスタイルを享受し続けている。モバイルコンピューティングデバイスのよくある用途として、大量の高解像度コンピュータグラフィックス情報及び動画コンテンツを表示する用途が挙げられ、デバイスにワイヤレスでストリーミングして表示する場合が多い。
【０００３】
典型的にこれらのデバイスはディスプレイ画面を備えているものの、モバイル性を推し進めるため、デバイス自体の物理的サイズは制限されている。そのため、これらのモバイルデバイスで、高解像度の大型ディスプレイのようなより好ましい視覚的体験を再現することは難しい。その他にも、このような種類のデバイスの短所として、ユーザインターフェースがヒトの手に頼る点が挙げられる。典型的には、ユーザは、（物理的または仮想的な）キーボードやタッチスクリーンディスプレイを用いてデータの入力や何らかの選択を行うことを求められる。
【０００４】
そのため、今日の消費者は、ヒトの手に頼るモバイルデバイスを補うかまたはこれにとって代わる、ハンズフリーで（ヒトの手に頼らずに）、高品質且つ携帯可能なカラーディスプレイへの対策を所望している。このようなディスプレイへの対策は、実用サイズ及び重量に制約があるため、利用可能な電力リソース（例えば、バッテリサイズ等）が限られている。電力リソースが限られているので、ディスプレイの電力消費を減らせば、その電力リソースの一回の充電で当該ディスプレイが動作できる時間が延びる。
【０００５】
一部の種類のディスプレイ装置では、アレイの画素列に周期的なランプ信号が供給されることが動作に必要となる。ランプ信号発生器の電力要件は多数の要因に依存し得るが、主に２つの要因として、（ｉ）ディスプレイの画素数、および（ｉｉ）ランプ信号の周波数が挙げられることが多い。よって、ディスプレイのサイズが固定されている場合には、ランプ信号発生器の電力要件、つまりディスプレイ装置が、ランプ周波数に強く影響されることになる。
【０００６】
最先端のディスプレイ用途は、高いランプ信号周波数を必要とするため、前述したような理由から高い電力要件を有している。
【０００７】
近年開発されたマイクロディスプレイは、大型フォーマットの高解像度カラー画像及びストリーミング映像を、極めて小さい形状の構成要素で提供することができる。このようなディスプレイの用途として、ユーザの視野内にディスプレイが収まるように眼鏡やオーディオヘッドセットやビデオアイウェアと似た形式の、ユーザの頭部に装着される無線ヘッドセットコンピュータへの組込みが挙げられる。
【０００８】
「無線コンピューティングヘッドセット」デバイス（本明細書では、ヘッドセットコンピュータ（ＨＳＣ）やヘッドマウントディスプレイ（ＨＭＤ）とも称される）は、少なくとも１つの小型高解像度マイクロディスプレイ、および画像を拡大する光学系を備える。そのような高解像度マイクロディスプレイは、スーパービデオグラフィックスアレイ（ＳＶＧＡ）（800×600）解像度または拡張グラフィックスアレイ（ＸＧＡ）（1024×768）解像度、あるいは、それを超える（当該技術分野において知られている）解像度を提供するものであり得る。
【０００９】
無線コンピューティングヘッドセットは、データ機能や映像ストリーミング機能を可能にする少なくとも１つの無線コンピューティング・通信インターフェースを備えており、ヒトの手に頼る装置を介して優れた利便性およびモバイル性を提供する。
【００１０】
以上のようなデバイスに関する詳細な情報については、同時係属中の、2009年1月5日付出願の米国特許出願第12/348,646号“Mobile Wireless Display Software Platform for Controlling Other Systems and Devices”、2009年3月27日付出願の国際出願第PCT/US09/38601号“Handheld Wireless Display Devices Having High Resolution Display Suitable For Use as a Mobile Internet Device”、および2012年4月25日付出願の米国仮特許出願第61/638,419号“Improved Headset Computer”を参照されたい。これらの各特許出願の全内容は、参照をもって本明細書に取り入れたものとする。
【００１１】
本明細書では、「ＨＳＣ」（ヘッドセットコンピュータ）、「ＨＭＤ」（ヘッドマウントディスプレイ）デバイス、および「無線コンピューティングヘッドセット」デバイスが、互いに置き換え可能なものとして用いられ得る。
【発明の概要】
【発明が解決しようとする課題】
【００１２】
本明細書で説明する実施形態は、マイクロディスプレイ（例えば、ＨＳＣに設けられたマイクロディスプレイ等）の電力を、（ｉ）マイクロディスプレイの画素アレイのうちの列を駆動するのに使用されるランプ信号の周波数を低くすること；および（ｉｉ）当該アレイのうちの、このような列駆動ランプ信号の各サイクルごとに駆動される行の数を増やすこと；のうちの少なくとも１つによって低減させる。
【課題を解決するための手段】
【００１３】
一態様において本発明は、画素アレイを駆動する方法であって、前記画素アレイの１つ以上の列にランプ信号を供給する過程を備える、方法であってもよい。前記ランプ信号のサイクルごとに、前記画素アレイの第１の行に第１の行駆動信号を供給し、かつ、前記画素アレイの第２の行に第２の行駆動信号を供給する。
【００１４】
一実施形態は、さらに、第１の増幅器および第２の増幅器を設ける過程を備える。当該第１および第２の増幅器がそれぞれＤＡ変換器から入力ランプ信号を受け取り、前記第１の増幅器は第１の増幅されたランプ信号を生成し、かつ、前記第２の増幅器は第２の増幅されたランプ信号を生成する。前記第１の増幅器および前記第２の増幅器は、ユニティゲイン（すなわち、ゲインが１に等しい）増幅器であってもよい。もっとも、これらの増幅器のゲインは、１未満の分数（すなわち、０から１の間）であってもよく、あるいは、１を超えていてもよい。
【００１５】
他の実施形態は、さらに、前記第１の増幅器の出力を画素アレイの第１の画素セットに接続し、かつ、前記第２の増幅器の出力を前記画素アレイの第２の画素セットに接続する過程を備えてもよい。前記画素アレイの前記第１の画素セットが第１の画素列セットであってもよく、前記画素アレイの前記第２の画素セットが第２の画素列セットであってもよい。前記第１の画素列セットおよび前記第２の画素列セットは、当該第１の画素列セットにおける列が当該第２の画素列セットにおける列と互い違いになるように前記画素アレイ上に（つまり、基板上のような前記画素アレイを受けるベース上に）空間的に配置されてもよい。
【００１６】
一実施形態は、さらに、前記画素アレイの前記第１の画素セットに前記第１の増幅されたランプ信号を供給し、かつ、前記画素アレイの前記第２の画素セットに前記第２の増幅されたランプ信号を供給する過程を備えてもよい。
【００１７】
一実施形態は、さらに、前記第１の増幅器の出力を画素アレイの第１の画素セットに接続し、かつ、前記第２の増幅器の出力を前記画素アレイの第２の画素セットに接続する過程を備える。前記画素アレイの前記第１の画素セットが（前記画素アレイにおける合計Ｎ個の画素行のうちの）第１の画素行セットであってもよく、前記画素アレイの前記第２の画素セットが（前記画素アレイの合計Ｎ個の行のうちの）第２の画素行セットであってもよい。前記第１の画素行セットが１行目〜Ｍ行目の画素を含み、前記第２の画素セットがＭ＋１行目〜Ｎ行目の画素を含み、ＭおよびＮは整数である。
【００１８】
一実施形態は、さらに、前記第１の増幅されたランプ信号を前記第１の画素行セットに供給し、かつ、前記第２の増幅されたランプ信号を前記第２の画素行セットに供給する過程を備える。
【００１９】
他の実施形態は、さらに、前記第１の増幅器の出力を画素アレイの第１の画素セットに接続し、かつ、前記第２の増幅器の出力を前記画素アレイの第２の画素セットに接続する過程を備える。前記画素アレイの前記第１の画素セットが第１の画素行セットであり、前記画素アレイの前記第２の画素セットが第２の画素行セットであり、前記第１の画素行セットおよび前記第２の画素行セットは、当該第１の画素行セットにおける行が当該第２の画素行セットにおける行と互い違いになるように前記画素アレイ上に空間的に配置されている。
【００２０】
一実施形態は、前記ランプ信号を生成するように構成されたＤＡ変換器を設ける過程を備える。
【００２１】
他の態様において本発明は、ランプ信号を生成するように構成されたランプ信号発生器と、前記ランプ信号を受け取って第１の増幅されたランプ信号を生成するように構成された第１の増幅器と、前記ランプ信号を受け取って第２の増幅されたランプ信号を生成するように構成された第２の増幅器とを備える、画素アレイドライバであってもよい。前記第１の増幅されたランプ信号が画素アレイの第１の画素セットに電気的に接続され、かつ、前記第２の増幅されたランプ信号が前記画素アレイの第２の画素セットに電気的に接続されてもよい。
【００２２】
一実施形態では、前記画素アレイの前記第１の画素セットが第１の画素列セットであり、前記画素アレイの前記第２の画素セットが第２の画素列セットである。前記第１の画素列セットおよび前記第２の画素列セットは、当該第１の画素列セットにおける列が当該第２の画素列セットにおける列と互い違いになるように前記画素アレイ上に空間的に（すなわち、画素の物理レイアウトに対して）配置されてもよい。
【００２３】
他の実施形態では、前記第１の画素列セットがＮ番目の画素列を含み、前記第２の画素列セットが（Ｎ＋１）番目の画素列を含み、Ｎは２から始まる２つ以上の連続する偶数を示す。本明細書で説明する全ての実施形態において画素の合計数（ひいては、画素列の数）は有限であり、当該合計数は、ディスプレイ装置のサイズ及び形状により制約されることを理解されたい。
【００２４】
他の実施形態では、前記第１の画素列セットが前記第１の増幅されたランプ信号を受け取り、かつ、前記第２の画素列セットが前記第２の増幅されたランプ信号を受け取る。
【００２５】
一実施形態では、前記画素アレイの前記第１の画素セット及び前記第２の画素セットがＮ個の行に配置されている。前記第１の画素セットが１行目〜Ｍ行目の画素を含み、前記第２の画素セットがＭ＋１行目〜Ｎ行目の画素を含み、ＭおよびＮは整数である。
【００２６】
請求項１４に記載の画素アレイドライバにおいて、前記１行目〜Ｍ行目の画素が前記第１の増幅されたランプ信号を受け取り、かつ、前記Ｍ＋１行目〜Ｎ行目の画素が前記第２の増幅されたランプ信号を受け取る。
【００２７】
他の実施形態では、前記画素アレイの前記第１の画素セットが第１の画素行セットであり、前記画素アレイの前記第２の画素セットが第２の画素行セットである。前記第１の画素行セットおよび前記第２の画素行セットは、当該第１の画素行セットにおける行が当該第２の画素行セットにおける行と互い違いになるように前記画素アレイ上に空間的に配置されてもよい。例えば、前記第１の画素行セットが第１の行、第３の行、第５の行…を含み、前記第２の画素行セットが第２の行、第４の行、第６の行…を含んでもよい。前記第１の画素行セットの画素が前記第１の増幅されたランプ信号を受け取り、かつ、前記第２の画素行セットの画素が前記第２の増幅されたランプ信号を受け取ってもよい。
【００２８】
他の実施形態では、前記ランプ信号発生器がＤＡ変換器を含む。前記ランプ信号発生器は、さらに、デジタルワードを生成して当該デジタルワードを前記ＤＡ変換器に供給するように構成されたカウンタを有してもよく、前記デジタルワードが、初期値から終値までカウントし（初期値から終値までの値を取り）、前記初期値に戻って、当該カウント（初期値から終値までの値を取ること）を前記初期値から繰り返す。
【００２９】
他の実施形態では、前記第１および第２の増幅器が、ユニティゲイン増幅器である。
【００３０】
前述の内容は、添付の図面に示す、本発明の例示的な実施形態についての以下のより詳細な説明から明らかになる。異なる図をとおして、同一の参照符号は同一の構成／構成要素を指すものとする。図面は必ずしも縮尺どおりではなく、むしろ、本発明の実施形態を示すことに重点が置かれている。
【図面の簡単な説明】
【００３１】
【図１】いくつかの実施形態におけるマイクロディスプレイの単純な一例を示す図である。
【図２】ランプＤＡＣ配置構成の一例を示す図である。
【図３】図２に示す画素アレイを駆動するのに使用され得る信号の、例示的なタイミング図である。
【図４】開示の実施形態に従って構築されたランプＤＡＣ配置構成の他の例を示す図である。
【図５】図４に示す画素アレイを駆動するのに使用され得る信号の、例示的なタイミング図である。
【図６】開示の実施形態に従って構築されたランプＤＡＣ配置構成のさらなる他の例を示す図である。
【図７】図６に示す画素アレイを駆動するのに使用され得る信号の、例示的なタイミング図である。
【発明を実施するための形態】
【００３２】
以下では、本発明の例示的な実施形態について説明する。
【００３３】
本明細書で説明するマイクロディスプレイは、一般的に、図１の単純な一例に示すように複数のデータ信号及び制御信号１０３で駆動される画素アレイ１０２を備える。以降の説明を理解し易くするために、この例示的なマイクロディスプレイ１００を20列×16行の合計３２０個の画素を有するものとするが、既述したように実際のマイクロディスプレイは典型的に、より多くの画素（例えば、1024列×768行のＸＧＡ等）を有している。
【００３４】
前記マイクロディスプレイは、協働して画素アレイ１０２に情報を供給する、列ドライバ１０４と行ドライバ１０６とを備える。列ドライバ１０４が前記画素に画像情報を供給し、行ドライバ１０６が前記画素に制御情報を供給してもよい。特定の画素列１１０の列駆動信号１０８は、複数の信号を含んでもよい。
【００３５】
一部の実施形態、例えばＬＣｏＳ（Liquid Crystal on Silicon）、ＯＬＥＤ（有機発光ダイオード（Organic Light Emitting Diode））ディスプレイ装置等の場合には、図１に示す列ドライバ１０４がランプＤＡ変換器（ＤＡＣ）および増幅器を有してもよい。列ドライバ１０４が、電圧ランプ信号を生成する。
【００３６】
この電圧ランプ信号は、第１の電圧から第２の電圧への線形的増加を繰り返す周期的な信号（例えば図３を参照）であってもよい。この電圧ランプは、特定の時間にサンプリングされてもよく、画素列で使用されるように、所望の一定の電圧出力を生成するように保持されてもよい。
【００３７】
前記ＤＡＣは、二値を表すデジタルワード（例えば８ビット、１６ビット、３２ビット等）を受け取るデバイスであてもよい。当該ＤＡＣは、前記デジタルワードの値に対応した電圧出力を生成する。例えば、前記デジタルワードに低い値から高い値まで（例えば00000000から11111111まで）順番にカウントさせて（値を取って）、当該カウント（値を順番に大きくすること）を周期的に繰り返すことにより、電圧ランプ信号が生成されてもよい。例えば一実施形態では、初期値から終値までカウントするようにプログラムされ且つそのあと当該初期値に戻って繰り返すように構成されているカウンタが、上記のようなデジタルワード系列（シーケンス）を生成するのに使用されてもよい。
【００３８】
前記増幅器は、前記ＤＡＣから前記電圧ランプ信号を受け取り、受け取った電圧ランプ信号を増幅したものである出力信号を生成してもよい。すなわち、前記増幅器の出力＝ｇ×（電圧ランプ信号）である（式中、ｇは前記増幅器のゲインである）。一部の実施形態では前記増幅器のゲインｇが１を超える正の実数とされるが、他の実施形態ではゲインｇが０から１の間であってもよい。
【００３９】
図２に、ランプＤＡＣ配置構成の一例であって、第１の増幅器２０４及び第２の増幅器２０６を駆動する単一のランプＤＡＣ２０２を含む、ランプＤＡＣ配置構成を示す。この実施形態では、増幅器２０４，２０６が、画素アレイ２０８を当該アレイ２０８の２つの部分から駆動するように配置されている。アレイ２０８内の画素の、図２に示した配置は、当該画素の物理的な配置構成（すなわち、物理レイアウト）を表すように意図されている。この例では、前記画素アレイの前記２つの線で示した部分が前記画素アレイの上部および下部とされているが、線で示した部分の他の配置構成が代わりに採用されてもよい。
【００４０】
図３は、図２の画素アレイ２０８を駆動するのに使用され得る信号の、例示的なタイミング図である。この例では、１２０ＨｚのＨＳＹＮＣランプ信号３０２が、ランプＤＡＣ２０２によって生成され、増幅器２０４，２０６を介して画素アレイ２０８内の前記画素に中継される。ランプ信号３０２の各サイクルごとに、１つの行のみが駆動される。この例では、ランプ信号３０２の（描かれているうちの）第１のサイクルの間Ｎ番目の行を駆動する信号３０４（すなわち、Ｎ行目駆動信号）がアクティブであり、ランプ信号３０２の（描かれているうちの）第２のサイクルの間Ｎ＋１番目の行を駆動する信号３０６（すなわち、Ｎ＋１行目駆動信号）がアクティブであり、ランプ信号３０２の（描かれているうちの）第３のサイクルの間Ｎ＋２番目の行を駆動する信号３０８（すなわち、Ｎ＋２行目駆動信号）がアクティブであり、ランプ信号３０２の（描かれているうちの）第４のサイクルの間Ｎ＋３番目の行を駆動する信号３１０（すなわち、Ｎ＋３行目駆動信号）がアクティブである。１２０Ｈｚのランプ信号の周期は１／１２０秒＝８．３３３ｍＳ（ミリ秒）なので、４つの画素行を駆動するには約４×８．３３ｍＳ＝約３３．３３ｍＳかかる。
【００４１】
図４に、開示の実施形態に従って構築された、ランプＤＡＣ配置構成の他の例であって、第１の増幅器４０４及び第２の増幅器４０６を駆動する単一のランプＤＡＣ４０２を含む、ランプＤＡＣ配置構成を示す。この実施形態では、増幅器４０４，４０６が、画素アレイ４０８を当該アレイ４０８の２つの側（図２の例と同じく、当該アレイ４０８の上部および下部）から駆動するように配置されている。ただし、図４の例では、増幅器４０４，４０６はそれぞれ各列の一部（この場合では、各列のうちの半分）を駆動する。すなわち、増幅器４０４と増幅器４０６とは同じ画素列の駆動を分担する。他の実施形態では、これらの増幅器が、分担する列の半分超又は半分未満を駆動するものとされてもよい。
【００４２】
図４の例示的な実施形態では、Ｔ番目の（上側の）行を駆動する信号（すなわち、Ｔ行目駆動信号）とＢ番目の（下側の）行を駆動する信号（すなわち、Ｂ行目駆動信号）とが、図３に示すランプ信号３０２とＮ行目駆動信号３０４との相互作用と同じように第１のランプサイクルの間アクティブである。Ｔ＋１番目の（上側の）行を駆動する信号（すなわち、Ｔ＋１行目駆動信号）とＢ＋１番目の（下側の）行を駆動する信号（すなわち、Ｂ＋１行目駆動信号）とが、図３に示すランプ信号３０２とＮ＋１行目駆動信号との相互作用と同じように第２のランプサイクルの間アクティブである。Ｔ＋２番目の（上側の）行を駆動する信号（すなわち、Ｔ＋２行目駆動信号）とＢ＋２番目の（下側の）行を駆動する信号（すなわち、Ｂ＋２行目駆動信号）とが、図３に示すランプ信号３０２とＮ＋２行目駆動信号との相互作用と同じように第３のランプサイクルの間アクティブである。
【００４３】
図４に示す構成は２つの行（例えばＴ行目とＢ行目、Ｔ＋１行目とＢ＋１行目…）を同時に駆動することを可能にするので、図２に示すアレイ構成と比べて少ない電力で、アレイ全体が駆動されることが可能である。図５は、図４の画素アレイ４０８を駆動するのに使用され得る信号の例示的なタイミング図である。この例では、６０ＨｚのＨＳＹＮＣランプ信号５０２が、ランプＤＡＣ４０２によって生成され、増幅器４０４，４０６を介して画素アレイ４０８内の前記画素に中継される。図５のタイミング図に示すようにランプ信号５０２は、当該ランプ信号５０２の各サイクルごとに２つの行が駆動されるので、図２及び図３のランプ信号３０２の周波数の半分（すなわち、６０Ｈｚ）であってもよい。Ｔ行目を駆動する信号５０４とＢ行目を駆動する信号５０６とが、ランプ信号５０２の（描かれているうちの）第１のサイクルの間それぞれアクティブになる。Ｔ＋１行目を駆動する信号５０８とＢ＋１行目を駆動する信号５１０とが、ランプ信号５０２の（描かれているうちの）第２のサイクルの間それぞれアクティブになる。
【００４４】
６０Ｈｚのランプ信号の周期は１／６０秒＝１６．６６ｍＳであるが、ランプ信号５０２の各サイクルごとに２つの行が駆動されるので、４つの行を駆動するのに必要なのは約２×１６．６６ｍＳ＝約３３．３３ｍＳである。そのため、図４及び図５に示す配置構成が４つの行を駆動するのにかかる時間は、図２及び図３に示す配置構成が同じく４つの行を駆動するのにかかる時間と変わらない。しかし、図４及び図５の配置構成が使用するランプ信号５０２の周波数は、図２及び図３に示す配置構成で使用されるランプ信号３０２の半分なので、図４及び図５の配置構成が必要とする電力のほうがより少ない。
【００４５】
図６に、開示の実施形態に従って構築された、ランプＤＡＣ配置構成のさらなる他の例であって、第１の増幅器６０４及び第２の増幅器６０６を駆動する単一のランプＤＡＣ６０２を含む、ランプＤＡＣ配置構成を示す。この実施形態では、増幅器６０４，６０６が、画素アレイ６０８を当該アレイ６０８の２つの側（図２の例と同じく、当該アレイの上部および下部）から駆動するように配置されている。ただし、図６の例では、増幅器６０４が奇数行（例えば１行目、３行目、５行目…）を駆動し、増幅器６０６が偶数行（例えば２行目、４行目、６行目…）を駆動する。図７に示すタイミング図が図６に示す配置構成に当てはまり、これは図５に示すタイミング図と類似している。
【００４６】
図６に示す配置構成は、多くの利点を奏する。画素が標準的な走査順序でアクセプトされることができ、必要なメモリのラインバッファが１つだけになる。図４は１つのハーフフレームバッファを必要とし、ＶＲ（バーチャルリアリティ）用途にとって極めて望ましくない待ち時間が加わる。偶数行と奇数行とのミスマッチ（不一致）は上半分の画像と下半分の画像とのミスマッチよりも遥かに知覚し難いので、図６の配置構成は増幅器６０４，６０６同士のマッチ（一致すること）についての制約を緩和する。図６の配置構成は、全ての行が隣接する行とほぼ同時に走査されることから、モーションアーチファクトを軽減させる。対照的に図４の配置構成では、Ｂ行目よりもかなり後にＴ＋２行目が走査される。図６の配置構成は隣接する行同士が行ラインを共有するため、１行ごとに必要とされるピッチが半分だけになる。
【００４７】
なお、図６の配置構成は１列ごとに２本の列ラインピッチを必要とし、列ラインが必然的に長くなるためキャパシタンスがやや大きくなるものの、１本の列ラインごとの画素数は図４に示すアーキテクチャと比べて変わらない。
【００４８】
本明細書の例示的な実施形態は、開示した主題を、ランプ周波数を半分する一方で駆動される行数を２倍に増やすことによって示している。単位時間あたりに駆動される画素数を維持しつつ電力を少なくするのにランプ周波数および画素行数が、開示の実施形態の根底にある思想に従いながら別のものに（すなわち、２倍と半分との組合せ以外に）変更されてもよいことを理解されたい。
【００４９】
本明細書で説明する１つ以上の実施形態が、数多くの様々な形態のソフトウェアやハードウェアで実現され得ることは明らかである。本発明で説明する実施形態を実現するのに用いられるソフトウェアコードおよび／または専用のハードウェアは、本発明を限定するものではない。これを理由として、具体的なソフトウェアコードおよび／または専用のハードウェアに言及することなく実施形態の動作及び挙動について説明した。当業者であれば、これらの実施形態を実現するためのソフトウェアおよび／またはハードウェアを、本明細書の説明に基づいて設計することができる。
【００５０】
また、本発明の特定の実施形態は、１つ以上の機能を実行する論理（ロジック）として実現され得る。この論理は、ハードウェアベースであってもよいし、ソフトウェアベースであってもよいし、ハードウェアベースとソフトウェアベースとの組合せであってもよい。当該論理のうちの一部又は全部が、１つ以上のコンピュータ読取り可能な有形の記憶媒体に記憶されてもよく、かつ、コントローラ又はプロセッサにより実行されるコンピュータ実行可能な命令を含んでもよい。当該コンピュータ実行可能な命令は、本発明の１つ以上の実施形態を実現する命令を含んでもよい。前記有形のコンピュータ読取り可能な記憶媒体は、揮発性又は不揮発性のものであってもよく、例えばフラッシュメモリ、ダイナミックメモリ、リムーバブルディスク、非リムーバブルディスク（取り外し不可能な記憶装置）等を含んでもよい。
【００５１】
本発明を例示的な実施形態を参照しながら具体的に図示および説明してきたが、当業者であれば、添付の特許請求の範囲により包含される本発明の範疇を逸脱することなく形態や細部について様々な変更が施されてもよいことを理解するであろう。
【図１】
2018530795.tif 000003
【図２】
2018530795.tif 000004
【図３】
2018530795.tif 000005
【図４】
2018530795.tif 000006
【図５】
2018530795.tif 000007
【図６】
2018530795.tif 000008
【図７】
2018530795.tif 000009
【国際調査報告】
2018530795.tif 000010
2018530795.tif 000011